(57)【特許請求の範囲】
【請求項１】
輸液アセンブリの状態を通知するためのシステムであって、
エラストマーポンプであって、ある体積の流体を受け取るためのチャンバと、前記チャンバが流体を受け取るときに膨張し、前記チャンバが流体を分配する際に収縮するように構成された外側層と、前記チャンバ内の流体の体積の変化を知らせるために前記外側層に設けられた受動的なインジケータとを含む、該エラストマーポンプと、
画像キャプチャ装置と、
処理システムとを備え、
前記画像キャプチャ装置は、前記ポンプの画像をキャプチャするように構成され、
前記処理システムは、前記画像を処理して、輸液アセンブリの状態を前記処理システムのユーザに知らせるように構成されることを特徴とするシステム。
【請求項２】
請求項１に記載のシステムであって、
前記ユーザに情報を提供するためのディスプレイを更に含むことを特徴とするシステム。
【請求項３】
請求項２に記載のシステムであって、
前記処理システムは、前記ディスプレイ上にガイドを表示して、前記ユーザが前記画像キャプチャ装置を利用して画像をキャプチャするのを助けることを特徴とするシステム。
【請求項４】
請求項１〜３のいずれか一項に記載のシステムであって、
単一の装置が、前記画像キャプチャ装置と前記処理システムとを含むことを特徴とするシステム。
【請求項５】
請求項１〜４のいずれか一項に記載のシステムであって、
前記インジケータは、前記外側層の上に印刷されたインクを含むことを特徴とするシステム。
【請求項６】
請求項１〜５のいずれか一項に記載のシステムであって、
前記インジケータは記号であることを特徴とするシステム。
【請求項７】
請求項１〜６のいずれか一項に記載のシステムであって、
前記インジケータは、前記外側層が膨張するにつれてサイズが大きくなり、前記外側層が収縮するにつれてサイズが小さくなることを特徴とするシステム。
【請求項８】
請求項１〜７のいずれか一項に記載のシステムであって、
前記ポンプは、前記チャンバを画定するブラダを更に含み、前記外側層は、前記ブラダを外囲し、第１のインジケータがブラダに設けられ、前記外側層に設けられた前記インジケータが第２のインジケータであり、前記第１のインジケータ及び前記第２のインジケータは、前記チャンバ内の流体の体積の変化を知らせるべく整列するように構成されることを特徴とするシステム。
【請求項９】
輸液アセンブリのためのエラストマーポンプの状態を伝達するための方法であって、
ポンプの画像をキャプチャするステップと、
前記画像を処理するステップと、
前記ポンプの状態をユーザに伝達するために前記ポンプの前記ユーザに対し情報を表示するステップとを含み、
前記ポンプが、
ある体積の流体を受け取るためのチャンバと、
前記チャンバが流体を受け取るときに膨張し、前記チャンバが流体を分配する際に収縮するように構成された外側層と、
前記チャンバ内の流体の体積の変化を知らせるために前記外側層に設けられた受動的なインジケータとを含むことを特徴とする方法。
【請求項１０】
請求項９に記載の方法であって、
前記インジケータが、記号、図形、またはテキストを含むことを特徴とする方法。
【請求項１１】
請求項９または１０に記載の方法であって、
前記画像をキャプチャするステップが、前記ポンプの外側層上のインジケータの画像をキャプチャするステップを含むことを特徴とする方法。
【請求項１２】
請求項９〜１１のいずれか一項に記載の方法であって、
前記画像を処理するステップが、前記画像と記憶された画像とを比較するステップを含むことを特徴とする方法。
【請求項１３】
請求項９〜１２のいずれか一項に記載の方法であって、
前記状態は、前記ポンプの容積の変化であることを特徴とする方法。
【請求項１４】
請求項９〜１３のいずれか一項に記載の方法であって、
単一の装置が、画像のキャプチャを行い、前記画像を処理し、情報をユーザに表示することを特徴とする方法。
【請求項１５】
請求項９〜１４のいずれか一項に記載の方法であって、
前記画像をキャプチャするステップが、画像をキャプチャするように構成されたユーザ装置のディスプレイ上に表示されたガイドとポンプを位置合わせするステップを含むことを特徴とする方法。
【請求項１６】
輸液アセンブリのためのエラストマーポンプであって、
ある体積の流体を受け取るためのチャンバと、
前記チャンバが流体を受け取るときに膨張し、前記チャンバが流体を分配する際に収縮するように構成された外側層と、
前記外側層に設けられたインジケータと、
前記チャンバを画定するブラダとを含み、
前記インジケータは、前記チャンバ内の流体の体積の変化を知らせるために前記外側層に設けられた受動的なインジケータであり、
前記外側層は、前記ブラダを外囲し、第１のインジケータがブラダに設けられ、前記外側層に設けられた前記インジケータが第２のインジケータであり、前記第１のインジケータ及び前記第２のインジケータは、前記チャンバ内の流体の体積の変化を知らせるべく整列するように構成されることを特徴とするポンプ。
【請求項１７】
請求項１６に記載のポンプであって、
前記インジケータは、前記外側層の上に印刷されたインクを含むことを特徴とするポンプ。
【請求項１８】
請求項１６または１７に記載のポンプであって、
前記インジケータは記号であることを特徴とするポンプ。
【請求項１９】
請求項１６〜１８のいずれか一項に記載のポンプであって、
前記インジケータは、前記外側層が膨張するにつれてサイズが大きくなり、前記外側層が収縮するにつれてサイズが小さくなることを特徴とするポンプ。
【発明の詳細な説明】
【技術分野】
【０００１】
本発明は、液体分配装置に関し、特に、静注薬物が装置のポンプから流れることを示すインジケータを有する患者に対し静注薬物を送達するための輸液装置またはアセンブリに関する。
【背景技術】
【０００２】
一定期間にわたり制御された流量で薬学的に活性な液体を患者に静脈内に供給することが必要となることが多い。望ましくは、患者は、薬学的に活性な液体の静脈内供給を受けながら歩行状態にあることができる。この目的を達成するための典型的な装置は、一般的には、液体容器を形成し、かつ患者に液体を供給するための流れ制御バルブ及びチューブのような特徴部を有する膨張可能なエラストマーブラダを含む。ブラダは、液体で満たされたときに膨張し、液体を排出するための圧力を提供するように強制される壁を有する。
【０００３】
従来の装置の１つの欠点は、患者または介護者などのユーザが、ポンプが液体を提供しているか否か、即ち装置がブラダから液体を分配しているか否かを識別することが困難なことである。従って、エラストマーポンプを有し、ポンプのブラダの容積の変化を示すための特徴を有する装置が有用となろう。更に、ポンプのブラダの容積の変化を示すインジケータに基づいてポンプの動作に関する情報を伝達するための１つ以上の特徴を含むエラストマーポンプを有する装置が有益であろう。エラストマーポンプのブラダの容積の変化を示すインジケータは、インジケータによって示される情報が見やすく、理解または解釈しやすいものであることが望ましい。
【先行技術文献】
【特許文献】
【０００４】
【特許文献１】米国特許第７９５９６２３号明細書
【特許文献２】米国特許第５２５４４８１号明細書
【特許文献３】米国特許第５０８０６５２号明細書
【特許文献４】米国特許第５１０５９８３号明細書
【発明の概要】
【課題を解決するための手段】
【０００５】
本発明の態様及び利点は、部分的には以下の説明に記載されるか、または明細書の記載から明らかであるか、または本発明の実施を通して理解することもできよう。
【０００６】
一態様では、本発明は、輸液アセンブリの状態を通知するためのシステムに関する。前記システムは、エラストマーポンプであって、ある体積の流体を受け取るためのチャンバと、前記チャンバが流体を受け取るときに膨張し、前記チャンバが流体を分配する際に収縮するように構成された外側層と、前記チャンバ内の流体の体積の変化を知らせるために前記外側層に設けられた受動的なインジケータとを含む、該エラストマーポンプを含む。前記システムは、画像キャプチャ装置と、処理システムとを更に備える。前記画像キャプチャ装置は、前記ポンプの画像をキャプチャするように構成され、前記処理システムは、前記画像を処理して、輸液アセンブリの状態を前記処理システムのユーザに知らせるように構成される。
【０００７】
いくつかの実施形態では、前記システムは、前記ユーザに情報を提供するためのディスプレイを更に含む。
【０００８】
前記処理システムは、前記ディスプレイ上にガイドを表示して、前記ユーザが前記画像キャプチャ装置を利用して画像をキャプチャするのを助け得る。更に、様々な実施形態では、単一の装置が、前記画像キャプチャ装置と前記処理システムとを含み得る。
【０００９】
更に別の実施形態では、前記ポンプ上に設けられた前記インジケータは、前記外側層の上に印刷されたインクを含む。前記インジケータは、記号、図形、テキスト、または他の視覚的または光学的特徴であり得る。いくつかの実施形態では、前記インジケータは、前記外側層が膨張するにつれてサイズが大きくなり、前記外側層が収縮するにつれてサイズが小さくなる。
【００１０】
代替的または追加的に、前記ポンプは、前記チャンバを画定するブラダを更に含む。前記外側層は、前記ブラダを外囲し得る。いくつかの実施形態では、第１のインジケータがブラダに設けられ、前記外側層に設けられた前記インジケータが第２のインジケータであり、前記第１のインジケータ及び前記第２のインジケータは、前記チャンバ内の流体の体積の変化を知らせるべく整列するように構成され得る。
【００１１】
別の態様では、本発明は、輸液アセンブリのためのエラストマーポンプの状態を伝達するための方法に関する。
【００１２】
前記方法は、ポンプの画像をキャプチャするステップと、前記画像を処理するステップと、前記ポンプの状態をユーザに伝達するために前記ポンプの前記ユーザに対し情報を表示するステップとを含む。
【００１３】
様々な実施形態では、前記ポンプが、ある体積の流体を受け取るためのチャンバと、前記チャンバが流体を受け取るときに膨張し、前記チャンバが流体を分配する際に収縮するように構成された外側層と、前記チャンバ内の流体の体積の変化を知らせるために前記外側層に設けられた受動的なインジケータとを含む。
【００１４】
他の実施形態では、前記画像をキャプチャするステップが、前記ポンプの外側層上のインジケータの画像をキャプチャするステップを含む。更に別の実施形態では、前記画像を処理するステップが、前記画像と記憶された画像とを比較するステップを含む。
【００１５】
代替的または追加的に、伝達される前記状態は、前記ポンプの容積の変化である。いくつかの実施形態では、例示的な方法では、単一の装置が、画像のキャプチャを行い、前記画像を処理し、情報をユーザに表示する。更に別の実施形態では、前記画像をキャプチャするステップが、画像をキャプチャするように構成されたユーザ装置のディスプレイ上に表示されたガイドとポンプを位置合わせするステップを含む。
【００１６】
更に別の態様では、本発明は、輸液アセンブリのためのエラストマーポンプに関する。前記ポンプは、ある体積の流体を受け取るためのチャンバと、前記チャンバが流体を受け取るときに膨張し、前記チャンバが流体を分配する際に収縮するように構成された外側層と、前記外側層に設けられたインジケータとを含む。前記インジケータは、前記チャンバ内の流体の体積の変化を知らせるために前記外側層に設けられた受動的なインジケータである。
【００１７】
前記エラストマーポンプのいくつかの実施形態では、  前記インジケータは、前記外側層の上に印刷されたインクを含む。様々な実施形態では、前記インジケータは、記号、図形、テキスト、または他の視覚的または光学的特徴である。前記インジケータは、前記外側層が膨張するにつれてサイズが大きくなり、前記外側層が収縮するにつれてサイズが小さくなり得る。いくつかの実施形態では、前記ポンプは、前記チャンバを画定するブラダも含み、前記外側層は、前記ブラダを外囲する。第１のインジケータがブラダに設けられ、前記外側層に設けられた前記インジケータが第２のインジケータである。前記第１のインジケータ及び前記第２のインジケータは、前記チャンバ内の流体の体積の変化を知らせるべく整列するように構成され得る。
【００１８】
本発明のこれらの及び他の特徴、態様、及び効果は、以下の説明及び添付の特許請求の範囲の請求項の記載を参照することにより、よりよく理解されるであろう。添付の図面は、本出願の一部を構成し、本発明の実施形態を示し、明細書の記載とともに本発明の原理を示す役割を果たす。
【００１９】
当業者に対して本発明の最良の実施の形態を含む本発明の完全かつ可能な開示が、本明細書において添付図面を参照して記載されている。
【図面の簡単な説明】
【００２０】
【図１】本発明の例示的な実施形態による輸液アセンブリの概略断面図である。
【図２】Ａ〜Ｄよりなり、インジケータを有するエラストマーポンプの側面図であって、本発明の例示的な実施形態による、流体を充填する様々な段階におけるポンプを示す図である。
【図３】Ａ〜Ｄよりなり、図１及び図２Ａ〜図２Ｄのエラストマーポンプの側面図であって、本発明の例示的な実施形態による、流体を分配する様々な段階におけるポンプを示す図である。
【図４】Ａ〜Ｃよりなり、インジケータを有するエラストマーポンプの側面図であって、本発明の例示的な実施形態による、流体を充填及び分配する様々な段階におけるポンプを示す図である。
【図５Ａ】本発明の例示的な実施形態による、ディスプレイを有するユーザスマートフォンデバイスの正面図である。
【図５Ｂ】図５Ａのユーザスマートフォンデバイスの正面図であって、本発明の例示的な実施形態による、ディスプレイ上のガイドと位置合わせされたエラストマーポンプを示す図である。
【図６】本発明の例示的な実施形態による、輸液アセンブリ及びユーザデバイスを含む通信システムの概略図である。
【発明を実施するための形態】
【００２１】
以下、本発明の実施形態を詳細に参照するが、１つ以上の実施形態が図面に例示されている。各実施例は、本発明の説明のために提示されたものであり、本発明を限定するものではない。実際には、本発明の範囲または精神から逸脱することなく、様々な変更及び改変を加えた実施形態で本発明が実施可能であることは、当業者には明らかであろう。例えば、ある実施形態の一部として図示または説明される特徴を、他の実施形態とともに使用して更に別の実施形態を生み出すことができる。従って、本発明は、添付の特許請求の範囲及びその均等物の範囲内に入るそのような改変及び変形を包含することが意図されている。
【００２２】
更に、構成要素の特定の命名、用語の大文字化、属性、データ構造、または他のプログラミングまたは構造上の側面は必須でも重要でもなく、また本発明またはその特徴を実装するメカニズムは、異なる名称、フォーマット、またはプロトコルを有してもよい。また、本明細書に記載された様々な構成要素間の機能の特定の分割は単なる例示であり、必須ではなく、即ち単一の構成要素によって実行される機能は、代わりに複数の構成要素によって実行されてもよく、複数の構成要素によって実行される機能は、代わりに単一の構成要素によって実行されてもよい。
【００２３】
図１は、本発明の例示的な実施形態による、例えば患者に流体を分配するための輸液アセンブリの側面図である。図示のように、例示的な輸液アセンブリ１００は、上側支持部材１０４及び下側支持部材１０６を有するエラストマーポンプ１０２を含む。輸液アセンブリ１００は軸方向Ａを定め、下側支持部材１０６は上側支持部材１０４から軸方向Ａに沿って離間される。
【００２４】
より詳細には、ポンプ１０２は、加圧流体源として機能し、局所麻酔薬のような薬液を保持し、圧力下で流体源を提供するリザーバを画定する。ポンプ１０２は、チュービングまたは導管１０８を通して薬液を押し出す。導管１０８は、薬液を創傷部位の神経束または患者Ｐの血流に送達するための連続流路１１０を形成する。図示された例示的な実施形態では、チュービングまたは導管１０８は、患者Ｐに薬液を送達するカテーテル１１２に連続流路１１０を接続する出口（図示せず）を画定する。そのような実施形態では、導管１０８及びカテーテル１１２は、ポンプ１０２から患者Ｐへの連続流路１１０を共に画定することができる。
【００２５】
更に、いくつかの実施形態では、輸液アセンブリ１００は、ボーラス送達を提供するように構成され得る。そのような構成では、導管１０８は、連続流路即ち一次流路と制御されたボーラス流路（図示せず）とに分割されてもよい。従って、薬液は、ポンプ１０２から連続流路即ち一次流路を介して、または制御されたボーラス流路を介してボーラス送達システムから、患者Ｐの創傷部位の神経束または血流に送達され得る。
【００２６】
ポンプ１０２は、好ましくは、約１０〜１５ｐｓｉの圧力下で約１００〜６００ｍｌの体積の流体を収容する。より詳細には、ポンプ１０２は、軸方向Ａに沿って上側支持部材１０４と下側支持部材１０６との間に延びる内側コア１１６を有する。内側コア１１６は、外側層１２０内のエラストマーブラダ１１８によって外囲されている。内側コア１１６は、好ましくは、例えば、ブラダ１１８を流体で満たすための入口ポート１２２と、例えば流体をブラダ１１８から流路１１０を通って患者Ｐに分配するために、導管１０８と連通している出口ポート１２４とを備えている。流体はエラストマーブラダ１１８内で加圧状態下に保持され、エラストマーブラダ１１８から出口ポート１２４を通って導管１０８に流れ、好ましくは制御された予測可能な流量で流れる。或いは、導管１０８は、流れ制限器として機能するようなサイズにすることができる。更に、エラストマーブラダ１１８は、好ましくは、当技術分野で周知の様々なエラストマー組成物を含み得る弾性材料から構成され、そのようなエラストマー組成物としては、加硫合成ポリイソプレン、天然ラテックス、天然ゴム、合成ゴム、シリコーンゴムなどが挙げられる。
【００２７】
例示的なポンプは、米国特許第７９５９６２３号明細書（特許文献１）及び米国特許第５２５４４８１号明細書（特許文献２）に記載されており、これらの文献の内容はこの引用により本明細書の一部とする。様々な他の従来のポンプも使用することができる。例えば、米国特許第５０８０６５２号明細書（特許文献３）及び米国特許第５１０５９８３号明細書（特許文献４）に記載されているポンプを使用することができ、これらの文献の内容はこの引用により本明細書の一部とする。当業者には理解されるように、他の製造業者によって提供される他の適切な電子的または機械的ポンプも同様に使用され得る。
【００２８】
図２Ａ〜図２Ｄを参照すると、輸液アセンブリ１００の図示された実施形態において、ブラダ１１８は、上側支持部材１０４から下側支持部材１０６まで延び、周方向Ｃを定める。流体がブラダ１１８によって画定されたチャンバ１２６（図１）内に受け入れられると、ブラダ１１８は、図２Ａに示すような概ね収縮した位置から図２Ｄに示すような概ね膨張した位置へと膨張する。即ち、ブラダ１１８は膨張可能であり、流体が入口ポート１２２を介してチャンバ１２６内に導入されると収縮位置から膨張位置まで膨張する。更に、流体がチャンバ１２６から出口ポート１２４を通って導管１０８によって画定された流路１１０に分配されると、ブラダ１１８は膨張位置から収縮位置に収縮する。より詳細には、収縮位置にあるブラダ１１８は、略円筒形の形状、第１の外周及び第１の体積Ｖ１を有する。膨張位置では、ブラダ１１８は略球形、第２の外周及び第２の体積Ｖ２を有する。第２の体積Ｖ２は、第１の体積Ｖ１より大きい。当然ながら、ブラダ１１８は、他の形状を有することもできるが、その形状にかかわらず、ブラダ１１８は、収縮位置よりも膨張位置において、より大きい体積を有する。
【００２９】
図１に示すように、ポンプ１０２は、ブラダ１１８がポンプ１０２の内側層となるようにブラダ１１８を外囲する外側層１２０を有する二層ポンプであってもよい。従って、外側層１２０は、内側層、ブラダ１１８から半径方向外側に配置される。チャンバ１２６が流体を受け取り、分配すると、外側層及び内側層の両方が膨張及び収縮し得る。より具体的には、ブラダ１１８は、流体がチャンバ１２６内に受容されるときに膨張し、またブラダは、そのブラダ１１８が膨張するときに外側層１２０に対して膨張し、外側層を膨張させることができる。同様に、流体がチャンバ１２６から排出されてブラダ１１８が収縮すると、外側層１２０が収縮する。一部の実施形態では、ブラダ１１８が完全に収縮即ち空になると、外側層１２０は比較的緩くなり得る。即ち外側層１２０は、ブラダ１１８の体積及び／または外周の全体に対して、ブラダ１１８の形状に完全に一致しない場合がある。むしろ、ブラダ１１８が空であるか、または比較的小さい容積を有する場合、外側層１２０は、ブラダ１１８の周りを緩く取り巻く構成となり得るが、ブラダ１１８内の流体の体積が増加しブラダ１１８が膨張するにつれて、外側層１２０はブラダ１１８の形状に一層良く一致し、ブラダ形状、体積及び／または外周をより堅くまたは密接した状態でトラッキングし得る。
【００３０】
更に、一部の患者は、様々な材料、例えばラテックスに敏感で、そのような材料から輸液アセンブリ１００の構成要素を形成することが望ましくないことがあり得ることは理解されよう。一実施形態では、ブラダ１１８（内側層）はラテックス材料を含み、外側層１２０は、患者Ｐが接触し得るポンプ１０２の部分が膨張可能な非ラテックス材料を含みものとし、そのような部分がラテックス材料を用いて作製されないようにする。他の実施形態では、他の材料を使用することができ、ブラダ１１８及び外側層１２０は、任意の適切な材料から作製され、任意の適切な構成を有することができる。
【００３１】
図２Ａ〜図２Ｄに示すように、ブラダ１１８の体積の変化を示すために、インジケータ１２８を外側層１２０に設けることができる。例えば、インジケータ１２８は、外側層１２０上に印刷、ペイント、塗布、または他の方法で付与される記号、図形、テキスト、または他の視覚的または光学的特徴であり得る。図２Ａ〜図２Ｄに示すように、インジケータ１２８は、外側層１２０に印刷された、または外側層１２０を形成する材料に組み込まれた、記号、より具体的にはプラス記号（「＋」）である。即ち、インジケータ１２８は、外側層１２０の外面上に設けられても、または外側層１２０を形成する材料内に埋め込まれてもよい。図２Ａでは、チャンバ１２６は本質的に空であり、即ちごくわずかな量の流体しか含んでおらず、ブラダ１１８は、最小体積を有し、外側層１２０が最も収縮した状態即ち最小状態にある。連続した図２Ｂ、図２Ｃ及び図２Ｄに示されるように、チャンバ１２６は、本質的に満杯になるまで、即ち図２Ｄに示すように、患者Ｐへの輸液のためにチャンバが受容すべき量または体積の流体を受け取るまで流体で満たされる。即ち、いくつかの輸液手順では、チャンバ１２６は流体で完全に満たされず、チャンバ１２６が収容することができる最大量または最大容積よりも少ない量または容量の流体が、患者に分配するためにチャンバに収容され得る。しかし、他の注入手順では、チャンバ１２６は、患者に分配するために最大量または最大体積の流体を受け取ることができる。
【００３２】
図２Ａ〜図２Ｄに示すように、チャンバ１２６が流体で満たされるとブラダ１１８及び外側層１２０はそれぞれが膨張するが、ブラダ１１８及び外側層１２０は必ずしも同じ瞬間に膨張を開始したり、同じ速度で膨張したりする必要はない。外側層１２０が膨張するにつれて、外側層１２０上に設けられたインジケータ１２８もまた膨張する。図２Ａ〜図２Ｄに示す例示的な実施形態では、インジケータ１２８はプラス記号（「＋」）であり、プラス記号は略軸方向Ａ及び周方向Ｃに沿って延びるものであり、チャンバ１２６内へ流体が導入されると、プラス符合が軸方向Ａ及び周方向Ｃに沿ってサイズが変化する。従って、インジケータ１２８のサイズの変化は、輸液アセンブリ１００のユーザにブラダ１１８の体積の変化を知らせ、それにより、ブラダ１１８（より具体的には、ブラダ１１８によって画定されたチャンバ１２６）が、患者に分配するための流体で満たされていることをユーザに示す。
【００３３】
図３Ａ〜図３Ｄに示すように、ブラダ１１８からの流体の分配、図２Ａ〜図２Ｄに示す充填プロセスとは逆のプロセス即ち反対のプロセスもまた、インジケータ１２８によって視覚的に表示することができる。より詳細には、流体がチャンバ１２６から、例えば出口ポート１２４を通って分配されると、ブラダ１１８及び外側層１２０はそれぞれ収縮するが、このときそれぞれが同時に収縮を開始する必要はなく、同じ速度で収縮する必要もない。いずれにしても、流体がブラダ１１８のチャンバ１２６から患者Ｐに分配されると、チャンバ１２６は充填状態から空状態に移行し、ブラダ１１８が充填体積から空体積に移行する。チャンバ１２６及びブラダ１１８から液体が流出し、外側層１２０が収縮するにつれて、外側層１２０上のインジケータ１２８は収縮即ち小さくなる。図３Ａ〜図３Ｄに示す例示的な実施形態では、インジケータ１２８はプラス記号（「＋」）であり、流体がチャンバ１２６から流出するにつれて、プラス記号は略軸方向Ａ及び周方向Ｃに沿って収縮し、軸方向Ａ及び周方向Ｃに沿ってサイズが変化する。従って、インジケータ１２８のサイズの変化は、輸液アセンブリ１００のユーザにブラダ１１８の体積の変化を知らせ、それにより、ブラダ１１８（より具体的には、ブラダ１１８によって画定されたチャンバ１２６）が、患者Ｐに流体を分配していることをユーザに示す。
【００３４】
いくつかの実施形態では、チャンバ１２６内の流体は、比較的低流量、例えば約０．５〜約１４立方センチメートル毎時の流量で分配することができるが、他の流量も同様に使用することができる。流体がこのような低流量でブラダ１１８から分配されるとき、ユーザにとって、例えばインジケータ１２８のようなインジケータなしでポンプ１０２の観察によって流体が流れていることを知覚することは困難であり得る。しかし、インジケータ１２８を組み込むことによって、ブラダ１１８の体積の変化の視覚的表示は、他の表示より知覚し解釈し易くなり、その結果ユーザは、たとえ流量が比較的低い場合であっても、流体がブラダ１１８から流れていることを知覚することができる。
【００３５】
図２Ａ〜図２Ｄ及び図３Ａ〜図３Ｄではプラス記号（「＋」）として示されているが、インジケータ１２８は、外側層１２０及び／または輸液アセンブリ１００の他の実施形態においては、他の形態、形状、または構成を有してもよいことは理解されよう。また、他の実施形態では、インジケータ１２８は、外側層１２０上の他の位置に設けられてもよい。即ち、図２Ａ〜図２Ｄ及び図３Ａ〜図３Ｄでは、外側層１２０の軸方向中間点にほぼ位置するインジケータ１２８として示されているが、他の実施形態では、インジケータ１２８は、外側層１２０上のより高い軸方向位置またはより低い軸方向位置に設けられてもよい。いくつかの実施形態では、例えばインジケータ１２８がユーザの視角または位置に関係なく視認可能となるように、複数のインジケータ１２８を外側層１２０に設けることができる。
【００３６】
図４Ａ〜図４Ｃを参照すると、本発明の別の例示的な実施形態が示されている。図４Ａ〜図４Ｃに提示されているように、外側層１２０は、例えば、流体がブラダ１１８から患者Ｐに流れているか否かを視覚的または光学的に示すべく、ブラダ１１８の体積の変化を知らせるための色及び／またはパターンが変化するインジケータ１２８を含み得る。より具体的には、第１のインジケータ１２８ａがブラダ１１８に設けられ、第２のインジケータ１２８ｂが外側層１２０に設けられ得る。第１のインジケータ１２８ａは、第１の色及び／またはパターン１３０ａを有し、同様に、第２のインジケータ１２８ｂは、第１の色及び／またはパターン１３０ｂを有する。第２のインジケータ１２８ｂは、輸液アセンブリ１００のユーザが目視可能であることが理解されよう。チャンバ１２６が図４に示すように流体で満たされると、第１のインジケータ１２８ａ及び第２のインジケータ１２８ｂは、第２のインジケータ１２８ｂの第１の色／パターン１３０ｂがユーザに目視可能となるように、分離または非整列にすることができる。しかし、チャンバ１２６が満たされると、第１及び第２のインジケータ１２８ａ、１２８ｂは、一緒にされるかまたは整列されて、第２の色及び／またはパターン１３２を輸液アセンブリ１００のユーザに表示する。第２の色／パターン１３２は、チャンバ１２６が患者Ｐに分配されるべき流体で満たされていることを示す。流体が分配のためにチャンバ１２６から患者Ｐに流れるとき、ブラダ１１８と外側層１２０は分離し、即ち整列しなくなり、依然としてユーザから目視可能である外側層１２０上の第２のインジケータ１２８ｂの色及び／またはパターンは、第１及び第２のインジケータ１２８ａ、１２８ｂが整列されたときに表示される第２の色及び／またはパターン１３２から第１の色及び／またはパターン１３０ｂに変化し、それによって流体がチャンバ１２６から分配されていることを知らせる。
【００３７】
第１のインジケータ１２８ａは青色、即ち第１のインジケータ１２８ａの第１の色１３０ａは青色であってもよく、第２のインジケータ１２８ｂの第１の色１３０ｂが黄色となるように第２のインジケータ１２８ｂは黄色であり得る。第１のインジケータ１２８ａ及び第２のインジケータ１２８ｂが一緒にされ及び／または整列されると、青色及び黄色の第１及び第２のインジケータ１２８ａ、１２８ｂは緑色に現れ、即ち、このような実施形態では第２の色１３２は緑色に現れる。流体がチャンバ１２６から分配されると、ブラダ１１８と外側層１２０とが分離し、第２の色１３２（緑）はもはや目視できないが、第２のインジケータ１２８ｂ（黄色）の第１の色１３０ｂが再びユーザに目視されることになる。
【００３８】
第１及び第２のインジケータ１２８ａ、１２８ｂは、他の実施形態において、他の色、パターン、形態、形状、または構成を有してもよいことを理解されたい。例えば、いくつかの実施形態では、第１のインジケータ１２８ａが第１のパターン１３０ａを有してもよく、また第２のインジケータ１２８ｂが第１のパターン１３０ｂを有してもよい。ブラダ１１８が流体で満たされていないとき、例えばチャンバ１２６が充填されているとき、または流体がチャンバから分配されているとき、第２のインジケータ１２８ｂの第１のパターン１３０ｂがユーザに見える。ブラダ１１８が流体で満たされていると、第１のインジケータ１２８ａは第２のインジケータ１２８ｂと整列されるか、または一緒にされ、第２のインジケータ１２８ｂの第１のパターン１３０ｂではなく第２のパターン１３２がユーザに見える。
【００３９】
また、他の実施形態では、第１及び第２のインジケータ１２８ａ、１２８ｂは、輸液アセンブリ１００の他の位置に設けられてもよい。即ち、図４Ａ〜図４Ｃでは、ブラダ１１８及び外側層１２０の軸方向中間点にほぼ位置する第１及び第２のインジケータ１２８ａ、１２８ｂとして示されているが、他の実施形態では、第１及び第２のインジケータ１２８ａ、１２８ｂは、ブラダ１１８及び外側層１２０上のより高い軸方向位置またはより低い軸方向位置に設けられてもよい。いくつかの実施形態では、例えば、ユーザの視角または位置に関係なく、インジケータ１２８がユーザに視認可能となるように、複数の第１のインジケータ１２８ａ及び複数の第２のインジケータ１２８ｂが設けられてもよい。
【００４０】
図２Ａ〜図２Ｄ及び図３Ａ〜図３Ｄに示す実施形態と同様に、図４Ａ〜図４Ｃの例示的な実施形態のチャンバ１２６内の流体は、比較的低流量、例えば約０．５〜約１４立方センチメートル毎時の流量で分配され得るが、他の流量も同様に使用され得る。このような低流量で流体がブラダ１１８から分配されるとき、ユーザにとって、例えばインジケータ１２８のようなインジケータなしでポンプ１０２の観察によって流体が流れていることを知覚することは困難であり得る。しかし、第１のインジケータ１２８ａ及び第２のインジケータ１２８ｂを組み込むことによって、ブラダ１１８の体積の変化の視覚的表示は、他の表示よりも知覚し解釈し易くなり、その結果ユーザは、たとえ流量が比較的低い場合であっても、流体がブラダ１１８から流れていることを知覚することができる。
【００４１】
図５Ａ及び図５Ｂを参照すると、一実施形態では、画像キャプチャ装置１４０及び処理システム１４２を、輸液アセンブリ１００とともに使用することができる。画像キャプチャ装置１４０及び処理システム１４２により、例えば、ポンプ１０２の体積、平均流量、及び注入手順の完了予定時刻など、輸液アセンブリ１００に関する複数の情報をユーザが受信可能にすることができる。図５Ａ及び図５Ｂを参照すると、画像キャプチャ装置１４０及び処理システム１４２は、ディスプレイ１４６を有するスマートフォン１４４（即ち、無線モバイルユーザデバイス）という単一の装置に組み込まれている。例えば、スマートフォン１４４の画像キャプチャ機能及びディスプレイ１４６を利用して、ユーザは、ポンプ１０２の画像を取り込む（即ち、写真を撮る）ことができ、次に、スマートフォン１４４の処理システム１４２が、ポンプ１０２の動作に関する１つ以上の情報を供給することができる。
【００４２】
図５Ａ及び図５Ｂに示すように、処理システム１４２は、１つ以上のガイド１４８を表示することによって、ユーザがポンプ１０２の画像を取り込むのを助けるソフトウェアアプリケーションまたはアプリを利用することができる。つまり、ユーザは、スマートフォン１４４などのユーザのデバイス上でアプリを開くか、またはアクティブにすることができる。次に、例えば、特定のモードまたは機能の選択時に、アプリは、ディスプレイ１４６上にガイド１４８を表示することができる。次いで、ユーザは、ガイド１４８を利用して、スマートフォン１４４の画像キャプチャ装置１４０の視野内にポンプ１０２を配置することができる。ガイド１４８は、例えば、インジケータ１２８のようなポンプ１０２の動作状態を決定するために処理システム１４２に必要なポンプ１０２に関連する特徴を含むポンプ１０２の画像をユーザがキャプチャするのを助けることができる。例えば、ユーザがポンプ１０２の上側支持部材１０４及び下側支持部材１０６をキャプチャしない場合、処理システム１４２は、ポンプ１０２の動作状態を正確に評価するために使用可能な画像を有すると判定できない可能性がある。従って、ガイド１４８は、ユーザがポンプ１０２の有用な画像、例えばポンプ１０２の外側層１２０上のインジケータ１２８の画像をキャプチャするのを確実にするのに役立つ。しかし、図５Ｂは、上側支持部材１０４と下側支持部材１０６との間に延在する外側層１２０の画像のキャプチャを示すが、いくつかの実施形態では、ユーザは上側支持部材１０４と下側支持部材１０６をキャプチャする必要はない。それにもかかわらず、インジケータ１２８を使用してポンプ１０２の動作状態を判定することができる実施形態では、ポンプの静的な即ち変化しない部分を、例えばポンプの連続的な画像を比較するための基準点としてキャプチャすることが有用である。
【００４３】
処理システム１４２は、ユーザによってキャプチャされた画像に基づいて、ユーザが画像をキャプチャしたときのポンプ１０２の体積を計算し、スマートフォン１４４のディスプレイ１４６を介してユーザに体積情報を表示することができる。処理システム１４２はまた、注入手順を完了するために必要とされる例えば開始体積及び／または時間間隔などの他の情報をディスプレイ１４６上に表示することができ、これによりポンプ１０２が作動し、流体がブラダ１１８から流れることをユーザに警告する及び／または再確認させることができる。いくつかの実施形態では、処理システム１４２は、例えばスマートフォン１４４の視覚信号及び／または可聴信号を介して、様々な時間間隔でポンプ１０２の画像をキャプチャするようにユーザに促すことができる。経時的に画像をキャプチャすることにより、処理システム１４２がポンプ１０２の動作に関するより多くの情報及び／またはより正確な情報を提供するのを助けることができる。一例として、ある時間間隔にわたって撮像されたポンプ１０２の複数の画像を比較することにより、処理システム１４２が、流体がポンプ１０２から許容可能な流量または所望の流量で流れているか否かを判定することが可能になり、そうでない場合には、流路１１０内の例えば閉塞のような流体流れに問題があるか否かを判定することが可能になる。処理システム１４２は、画像同士を新たにキャプチャされた画像も含めて互いに比較することができるように、キャプチャされた画像の各々を記憶するように構成することができる。
【００４４】
従って、ディスプレイ１４６は、ポンプ１０２及び／または輸液アセンブリ１００の１つ以上の状態を視覚的に示すことができる。例えば、ディスプレイ１４６は、流体がポンプ１０２のチャンバ１２６から排出または分配されるときなどに、チャンバ１２６内の流体の体積変化のグラフ表示を提供することができる。代替的にまたは追加的に、ディスプレイ１４６は、例えば、流量が増加したか、減少したか、または一定のままであるかを示す、チャンバ１２６からの流体の流量のグラフ表示を提供することができる。他の実施形態では、ディスプレイ１４６は、ポンプ１０２からの流体の流量、患者Ｐへの流体の流量、チャンバ１２６内に残っている流体の体積、患者Ｐに分配された流体の体積、及び／または他の数値情報を表示内容に含めることができる。更に他の実施形態では、ディスプレイ１４６は、流体がポンプ１０２から流れていること、及び／または目標または所望の流量で患者Ｐに流れていることを示すことができる。ディスプレイ１４６は、他の条件の表示や、他の情報の提供もすることもできる。
【００４５】
更に、処理システム１４２は、上記のような画像キャプチャ装置１４０の機能及びスマートフォン１４４のソフトウェアアプリケーションなどの１つ以上のソースから提供されるデータ、及び／または介護者または臨床医からの入力を取り入れることができる。次に、処理システム１４２は、例えば、スマートフォン１４４のディスプレイ１４６を使用して、そのようなデータまたはそのようなデータから得られた情報をユーザに表示することができる。例えば、図６に概略的に示すように、輸液アセンブリ１００からのデータまたは情報は、例えば、前述のような通信ネットワークまたは無線リレーまたはモジュールを介して、１つ以上の患者またはユーザデバイス１５０に送信され、及び／または取り込まれる。ユーザデバイス１５０は、例えばスマートフォン１４４のようなインターネット機能を有する携帯または無線移動通信デバイスのようなパーソナルコンピューティングデバイスを含み得る。更なる例として、ユーザデバイス１５０は、デスクトップコンピュータ、タブレットコンピュータ、または任意の他の適切なパーソナルコンピューティングデバイスであってもよい。いくつかの実施形態では、各ユーザデバイス１５０は、１つ以上のプロセッサと、様々なコンピュータ実装機能（たとえば、本明細書に記載の方法、ステップ、計算などを実行する）を実行するように構成される関連メモリデバイスを有する制御回路を含む。本明細書で使用される場合、「プロセッサ」という用語は、コンピュータに含まれるものとして当技術分野で用いられるように集積回路を指すだけでなく、コントローラ、マイクロコントローラ、マイクロコンピュータ、プログラマブル論理コントローラ（ＰＬＣ）、特定用途向け集積回路、及び他のプログラマブル回路を含む。更にメモリデバイスは、一般に記憶要素を含むことができ、そのような記憶要素としては、限定しないが、コンピュータ可読媒体（例えば、ランダムアクセスメモリ（ＲＡＭ））、コンピュータ可読不揮発性媒体（例えば、フラッシュメモリ）、フロッピーディスク、コンパクト・ディスク・リード・オンリー・メモリ（ＣＤ−ＲＯＭ）、光磁気ディスク（ＭＯＤ）、デジタル多用途ディスク（ＤＶＤ）及び／または他の適切な記憶要素が挙げられる。
【００４６】
そのようなメモリデバイスは一般的に、１つ以上のプロセッサによって実装されたときに、制御回路を、様々な機能（限定しないが１つ以上の画像を分析すること、ポンプ１０２及び／または輸液アセンブリ１００の１つ以上の状態を決定すること、または本明細書に記載の他の機能を含む）を実施するように構成する適切なコンピュータ可読命令を記憶するように構成され得る。より具体的には、命令は、制御回路に機能を実行するように構成することができ、そのような機能としては、例えば、様々な入力条件を示す１つ以上のセンサ（例えば、電圧センサ、電流センサ、及び／または他のセンサ）からの信号を直接的または間接的に受信すること、キャパシタバンク電圧を決定すること、キャパシタバンクのプリチャージプロセスを制御すること、及び／または、処理システム１４２及び／またはユーザデバイス１５０が本明細書で説明される様々な機能を実行することを可能にする様々な他の適切なコンピュータ実装機能が挙げられる。インタフェースは、制御信号を送受信するための１つ以上の回路、端子、ピン、コンタクト、導体、または他の構成要素を含むことができる。更に、制御回路は、システム内の任意のセンサから送信された信号を、プロセッサによって理解され、処理され得る信号に変換できるようにするセンサインタフェース（例えば、１つ以上のＡ／Ｄ変換器）を含むことができる。
【００４７】
ある例示的な実施形態では、コントローラは、機械学習技術を含むコンピュータ実行可能命令を格納するメモリデバイスを有するプロセッサを備え、プロセッサは、命令を実行するように構成される。機械学習技術は、例えば、信号内の雑音の適応型及び非適応型の雑音除去；信号包絡線検出：データスペクトルから異なるポンプパラメータを抽出するためのローパスフィルタ、バンドパスフィルタ、バンドストップフィルタ、及び／またはハイパスデジタルフィルタ；または（例えば、注入手順または複数の注入手順にわたる）異なる個体群及び時間にわたってポンプ動作を特徴付けるための有監督または無監督のクラスタリング（ｋ−平均、ファジィｃ−平均人工ニューラルネットワーク、サポートベクトルマシン、及び／またはファジーシステムのうちの少なくとも１つを含み得る）のうちの少なくとも１つを含むことができる。従って、一実施形態では、処理システム１４２は、（例えば、スマートフォン１４４のディスプレイ１４６を介して）ポンプ１０２の画像を経時的にキャプチャし、それにより、所定の時間間隔内でのポンプの変化を測定して、ポンプが作動しているか、意図した通りに作動しているかなどを認識する。更に、経時的なポンプの変化を推定するために、ノルム、二乗平均平方根、歪度、尖度、エントロピーなどのいくつかの統計的及び形態学的特徴を機械学習段階で使用して現在及び過去のポンプ画像を比較することができる。また、機械学習ベースの予測モデルを使用して、例えば注入手順がいつ完了するかを予測することができる。
【００４８】
図６を参照すると、いくつかの実施形態では、ユーザデバイス１５０は、ネットワーク１５４を介してサーバ１５２に接続され、少なくとも輸液アセンブリ１００との間で情報を供給及び／または受信し、他のアセンブリまたは医療機器も、ユーザデバイス１５０にデータまたは情報を提供し、及び／またはユーザデバイス１５０からデータまたは情報を受信することができる。例えば、上述したように、ポンプ１０２及び／または輸液アセンブリ１００の状態をユーザに伝達するためのシステムまたは方法のいくつかの実施形態は、経時的にポンプ１０２の画像のキャプチャを行い、キャプチャされた各画像を記憶し、新たにキャプチャされた画像即ち現在の画像を１つ以上の記憶された画像と比較する。このような実施形態では、処理システム１４２は、例えば、前述のメモリデバイスのうちの１つ以上を使用して、キャプチャされた画像を記憶するように構成されてもよく、或いは処理システム１４２は、ネットワーク１５４を介してサーバ１５２と通信して、サーバ上に画像を格納し、別の記憶された画像との比較及び／または新しい画像と比較のために記憶された画像を検索または利用するように構成することができる。他の実施形態では、サーバ１５２は、他のユーザのポンプまたは例示的なポンプなどの他の注入ポンプの画像を記憶するために使用されてもよく、また処理システム１４２は、ポンプ１０２の画像を他の注入ポンプの記憶画像と比較して、ユーザのポンプ１０２の状態を判定するように構成することができる。いくつかの実施形態では、処理システム１４２は、ネットワーク１５４を介してサーバ１５２と通信して、上述の１つ以上の機械学習技術を実行または可能にするように構成されてもよい。従って、サーバ１５２は、データ及び／または情報を記憶、アクセス、及び／または処理するための１つ以上のデータベースを備えるか、またはそれらと通信することができる。
【００４９】
ネットワーク通信は、１つ以上の様々な形態のネットワーク１５４を介して情報を送信及び／または受信することを含むことができることを理解されたい。例えば、ネットワークは、ダイヤルインネットワーク、ローカルエリアネットワーク（「ＬＡＮ」）、広域ネットワーク（「ＷＡＮ」）、公衆交換電話網（「ＰＳＴＮ」）、インターネット、イントラネット、または他のタイプのネットワークに接続される。ネットワーク１５４は、任意の数及び／または組み合わせの有線、無線、または他の通信リンクを含むことができる。更に、輸液アセンブリ１００のような複数の医療機器または器具は、ネットワーク１５４を介してサーバ１５２に接続されて、データまたは情報を提供及び／または受信することができる。例示的な実施形態では、ユーザデバイス１５０は、ユーザがサーバ１５２と対話できるようにするインターネットブラウザプログラムなどの１つ以上のコンピュータプログラムを実行するように構成され、ユーザデバイス１５０は、好ましくは、患者Ｐ、医師及び／または介護者に、チャンバ１２６からの流体の流速、流体の体積の変化などの情報またはデータを提供するためのモニタまたはスクリーンなどのディスプレイ１４６を含む。
【００５０】
いくつかの実施形態では、ユーザデバイス１５０は、モバイルソフトウェアアプリケーション、即ち、１人以上のユーザからの入力をキャプチャし、１人以上のユーザに出力を提供するように設計されたアプリケーションを利用することができる。例えば、患者Ｐが、回復プロセスの一部として輸液アセンブリ１００の使用を必要とする医療処置の前または後に、そのスマートフォン１４４にアプリケーションをダウンロードすることができる。アプリの一部の実施形態では、アプリの一部は、患者Ｐが入力することができるログであってもよく、このようなログの記録内容としては、例えば患者が１日１回または１日にわたって患者の疼痛または相対疼痛レベルを評価すること、患者の知覚した即ち主観的な回復レベルを評価すること、患者の活動レベルを表示すること、患者のポンプ１０２の画像をキャプチャすることなどが挙げられるが、これらに限定されない。アプリは、患者の特定の手順または患者が使用している輸液アセンブリ１００に合わせて調整することができる。そのアプリは、例えば、上記のようにユーザによってキャプチャされたポンプ１０２の画像を介して輸液アセンブリ１００に関するデータまたは情報出力を受信し、そのようなデータまたは情報を、例えばスマートフォン１４４に組み込まれたディスプレイ１４６を介してユーザに提供するように構成することができる。他の実施形態では、モバイルアプリケーションではなくウェブベースのデータ収集及びプレゼンテーションツールを使用して、輸液アセンブリ１００によって生成された患者が生成したデータ及びデータを収集することができる。ウェブベースのデータ収集及びプレゼンテーションツールは、例えば、ログ部分、画像処理能力などを用いて、上述のアプリと同様に構成することができる。他の実施形態では、１つ以上の有線デバイスを使用して、輸液アセンブリ１００に関するデータまたは情報を提供及び／または受信することができる。患者からのフィードバックは、例えば機械学習モードを有する処理システム１４２のために、輸液アセンブリ１００をトレーニングするために使用されてもよく、患者は、ポンプ１０２及び／または輸液アセンブリ１００を自分で調整してもよく、この自己調整は、輸液アセンブリ１００を使用して患者に送達されるべき流体の客観的評価と、例えば患者の主観的疼痛レベルに基づいたものであり得る患者の主観的評価との間に大きな相違がある場合に特に有用であり得る。いずれにしても、様々な実施形態では、スマートフォン１４４を含むユーザデバイス１５０などのユーザデバイスに組み込まれたディスプレイ１４６を介して、様々なソースからのデータまたは情報を患者Ｐまたは他のユーザに提供することができる。当然ながら、ディスプレイ１４６を有する装置の他の適切な構成も同様に使用することができる。
【００５１】
上述したように、ポンプ１０２の１以上のキャプチャ画像は、ポンプ１０２及び／または輸液アセンブリ１００の状態を表示、通知、または伝達するために、いくつかの出力を生成することができる。例えば、キャプチャされた画像を用いて、処理システム１４２は、膨張可能なブラダ１１８からの流体の流量を出力することができる。追加的または代替的に、１つの出力は、ある期間にわたってブラダ１１８から分配される流体の体積であってもよく、及び／またはある出力は、ある期間にわたるブラダ１１８のチャンバ１２６内の流体体積の変化であってもよい。１つ以上の出力は、１つ以上の視覚的、触覚的、可聴的、または他の信号を使用して、患者Ｐ、医師／臨床医、及び／または介護者などの輸液アセンブリ１００のユーザに伝達されてもよい。具体的には、出力は、１つ以上のＬＥＤライト、１つ以上のアラーム、及び／またはディスプレイ１４６に表示された通知などの信号を介してユーザに情報を提供することができる。他の形態のデータまたは情報、及びそのようなデータまたは情報を伝達するための信号の他の構成も同様に使用することができる。
【００５２】
ポンプ１０２、画像キャプチャ装置１４０、及び処理システム１４２は、全体として、輸液アセンブリ１００の状態、例えばポンプ１０２の体積の変化、ポンプ１０２からの流体の流量などを知らせるためのシステムを含む。いくつかの実施形態では、スマートフォン１４４またはユーザデバイス１５０などの単一のユーザデバイスは、画像キャプチャ装置１４０及び処理システム１４２の両方を備えることができ、この結果、ユーザは単一のデバイスを用いて画像のキャプチャを行い、ポンプ１０２及び／または輸液アセンブリ１００の状態に関する情報を受け取ることができる。例示的な実施形態では、単一のユーザデバイスは、スクリーンまたはディスプレイ１４６を備え、例えばディスプレイ１４６上にガイド１４８を提供することによって、ユーザが画像をキャプチャするために装置の画像キャプチャ機能を利用するのを助けることができ、またポンプ１０２及び／または輸液アセンブリ１００に関する情報を表示またはユーザに提供することができる領域を提供することができる。
【００５３】
従って、ポンプ１０２及び／または輸液アセンブリ１００の状態を伝達する方法は、ポンプ１０２の画像のキャプチャを行い、画像を処理し、ポンプ１０２のユーザに情報を表示して、これによりポンプの状態をユーザに伝えることを含み得る。この状態は、ポンプ１０２の容積、ポンプ１０２からの流体の流量、ポンプ１０２の流れの状態（即ち、流体がポンプから流れているか否か）などであり得る。前述のように、画像のキャプチャをすることは、インジケータ１２８の画像をポンプ１０２の外側層１２０にキャプチャすることを含み、画像を処理することは、画像を記憶された画像と比較することを含み得る。画像のキャプチャをすることは、例えば、画像キャプチャ装置１４０の機能を組み込むことによって画像のキャプチャをするように構成されたユーザデバイス１５０のディスプレイ１４６上に表示されたガイド１４８を用いてポンプ１０２を位置合わせすることを含み得る。ポンプ１０２及び／または輸液アセンブリ１００の状態を伝達することは、以前により詳細に説明したように、情報、信号などをユーザデバイス１５０のディスプレイ１４６に表示することを含み得る。本明細書で説明されるように、この方法は、他の特徴、ステップ、またはプロセスも含み得ることは理解されよう。
【００５４】
様々な特許文献が引用により本明細書に組み込まれているが、組み込まれた特許文献の内容と記述された明細書の記載内容の間に矛盾がある場合、明細書の記載内容が優先するものとする。更に、本明細書は、実施例を用いて、最良の実施の形態を含めた本発明の内容を開示し、かつ本発明を当業者が実施（任意のデバイスまたはシステムの作成及び使用、記載内容に組み入れられたあらゆる方法の実施を含む）することを可能にしている。本発明の特許される技術範囲は、特許請求の範囲の請求項の記載によって特定され、当業者が想到可能な他の実施形態もそれに含まれ得る。そのような他の実施形態は、各請求項の文言と異なっていない構成要素を含む場合、またはそれらが各請求項の文言とは実質的には異ならない均等な構成要素を含む場合、それらの請求項の特定する技術範囲内にあるものとする。
【図１】
0006450856.tif 000002
【図２】
0006450856.tif 000003
【図３】
0006450856.tif 000004
【図４】
0006450856.tif 000005
【図５Ａ】
0006450856.tif 000006
【図５Ｂ】
0006450856.tif 000007
【図６】
0006450856.tif 000008